(57)【要約】【課題】アライアンス企業間においてサービスポイントが流通するとともに、サービスポイントの還元率に差異を設け特定の顧客を特定のアライアンス企業に誘導することができるシステムを提供する。【解決手段】複数のアライアンス企業間で流通するサービスポイントを統括的に管理する管理サーバーと、各アライアンス企業に設置され前記管理サーバーと通信回線を介して情報の伝達を行う手段を備えたアライアンス企業端末とを備え、前記管理サーバーまたは前記アライアンス企業端末にはサービスポイントに対する還元額を算出するための還元率テーブルが搭載され、該還元率テーブルにおける還元率を所望するアライアンス企業および/または顧客会員に応じて変動させる手段によりサービスポイントに対する還元額をアライアンス企業ごとに変動させて設定可能としたことを特徴とするサービスポイント還元システム。【選択図】  図１
2010146122.tif 000002
【特許請求の範囲】
【請求項１】
コンピュータ読み取り可能なプログラムによって実行され、商品およびサービス取引の購買額や購買回数等に応じて顧客に付与し利用されるサービスポイントを管理するシステムであって、複数のアライアンス企業間で流通するサービスポイントを統括的に管理する管理サーバーと、各アライアンス企業に設置され前記管理サーバーと通信回線を介して情報の伝達を行う手段を備えたアライアンス企業端末とを備え、前記管理サーバーまたは前記アライアンス企業端末にはサービスポイントに対する還元額を算出するための還元率テーブルが搭載され、該還元率テーブルにおける還元率を所望するアライアンス企業および/または顧客会員に応じて変動させる手段によりサービスポイントに対する還元額をアライアンス企業ごとに変動させて設定可能としたことを特徴とするサービスポイント還元システム。
【請求項２】
還元率テーブルにおける還元率をアライアンス企業および/または顧客会員に応じて変動させる手段は、所望のアライアンス企業または顧客会員を抽出する抽出手段と、該抽出手段により抽出されたアライアンス企業または顧客会員の還元率テーブルにおいて還元率を変動させる変動手段とからなることを特徴とする請求項１記載のサービスポイント還元システム。
【請求項３】
アライアンス企業または顧客会員を抽出する抽出手段は、データベースに蓄積されてなるアライアンス企業情報および顧客会員情報から条件設定により絞り込み抽出される手段であることを特徴とする請求項１または２に記載のサービスポイント還元システム。
【請求項４】
顧客会員が利用を告知したサービスポイントに対して該当する還元率テーブルの還元率を乗算して還元額を算出する手段を有するとともに、告知したサービスポイントを顧客会員の累積サービスポイントから差し引く手段を有することを特徴とする請求項１または２記載のサービスポイント還元システム。
【請求項５】
顧客会員が還元を告知した利用額に対して該当する還元率テーブルの還元率を乗算して利用されるサービスポイントを算出する手段を有するとともに、算出されたサービスポイントを累積サービスポイントから差し引く手段を有することを特徴とする請求項１乃至請求項４のいずれかに記載のサービスポイント還元システム。
【請求項６】
算出手段により算出されたサービスポイントまたは還元額に対し、還元率を変動させたことによるサービスポイントと還元額の差額分をアライアンス企業に課金する課金手段を有することを特徴とする請求項１乃至請求項５記載のサービスポイント還元システム。
【請求項７】
算出手段により算出されたサービスポイントまたは還元額に対し、アライアンス企業ごとに設定された負担率を乗算してアライアンス企業の負担額を算出する演算手段を有し、算出された差額分をアライアンス企業に課金する課金手段を有することを特徴とする請求項１乃至５のいずれかに記載のサービスポイント還元システム。
【請求項８】
アライアンス企業端末は、顧客会員情報および購買品名、価格、数量、日時などの販売実績情報を収集し管理サーバーに伝達する販売時点情報管理装置であることを特徴とする請求項１乃至請求項７のいずれかに記載のサービスポイント還元システム。
【発明の詳細な説明】
【技術分野】
【０００１】
本発明は、管理センター、アライアンス企業、顧客との間で流通するサービスポイントの還元システムに関する。
【背景技術】
【０００２】
従来より、商品若しくはサービスを販売、提供する店舗においては、販売促進、顧客の固定化等の目的から商品およびサービス取引の購買額や購買回数に応じて顧客に発行及び還元されるサービスポイントを管理するサービスポイント発行還元サービスが提供されている。その中で複数のアライアンス企業や顧客会員が介在するシステムとしては、特許文献１に記載のように、複数の企業グループ各々で発行され、顧客がそれぞれの企業グループ又は店舗等にて獲得した複数種類のポイントを合算して、企業会員の何れの店舗においても利用可能とするシステムがある。
【特許文献１】特開２００７−２７２５２５号特許公報
【発明の開示】
【発明が解決しようとする課題】
【０００３】
上記特許文献１に開示されたシステムは、異なる会員企業から発行されている種類の異なる複数のポイントを合算するシステムであり、サービスポイントの利用できる範囲が拡大するというメリットはあるが、各会員企業のサービスポイント発行コストがかかるとともに、サービスポイントの流通サイクルを作りにくいという問題があった。
【０００４】
本願発明が解決しようとする課題は、販売促進、顧客の固定化等の目的から商品およびサービス取引の購買額や購買回数に応じて顧客に発行及び還元されるサービスポイントを管理するサービスポイント発行還元サービスを提供するシステムにおいて、アライアンス企業間においてサービスポイントが流通するとともに、サービスポイントの還元率に差異を設け特定の顧客を特定のアライアンス企業に誘導することができるシステムを提供することを目的とする。
【課題を解決するための手段】
【０００５】
上記目的を達成するため本発明は、コンピュータ読み取り可能なプログラムによって実行され、商品およびサービス取引の購買額や購買回数等に応じて顧客に付与し利用されるサービスポイントを管理するシステムであって、複数のアライアンス企業間で流通するサービスポイントを統括的に管理する管理サーバーと、各アライアンス企業に設置され前記管理サーバーと通信回線を介して情報の伝達を行う手段を備えたアライアンス企業端末とを備え、前記管理サーバーまたは前記アライアンス企業端末にはサービスポイントに対する還元額を算出するための還元率テーブルが搭載され、該還元率テーブルにおける還元率を所望するアライアンス企業ごとまたは顧客会員ごとに変動させる手段によりサービスポイントに対する還元額をアライアンス企業ごとに変動させて設定可能としたことを特徴とする。
【０００６】
還元率テーブルにおける還元率をアライアンス企業および/または顧客会員に応じて変動させる手段は、所望のアライアンス企業または顧客会員を抽出する抽出手段と、該抽出手段により抽出されたアライアンス企業または顧客会員の還元率テーブルにおいて還元率を変動させる変動手段とからなることを特徴とする。
【０００７】
アライアンス企業または顧客会員を抽出する抽出手段は、データベースに蓄積されてなるアライアンス企業情報および顧客会員情報から条件設定により絞り込み抽出される手段であることを特徴とする。
【０００８】
顧客会員が利用を告知したサービスポイントに対して該当する還元率テーブルの還元率を乗算して還元額を算出する手段を有するとともに、告知したサービスポイントを顧客会員の累積サービスポイントから差し引く手段を有することを特徴とする。
【０００９】
顧客会員が還元を告知した利用額に対して該当する還元率テーブルの還元率を乗算して利用されるサービスポイントを算出する手段を有するとともに、算出されたサービスポイントを累積サービスポイントから差し引く手段を有することを特徴とする。
【００１０】
算出手段により算出されたサービスポイントまたは還元額に対し、還元率を変動させたことによるサービスポイントと還元額の差額分をアライアンス企業に課金する課金手段を有することを特徴とする。
【００１１】
算出手段により算出されたサービスポイントまたは還元額に対し、アライアンス企業ごとに設定された負担率を乗算してアライアンス企業の負担額を算出する演算手段を有し、算出された差額分をアライアンス企業に課金する課金手段を有することを特徴とする。
【００１２】
アライアンス企業端末は、顧客会員情報および購買品名、価格、数量、日時などの販売実績情報を収集し管理サーバーに伝達する販売時点情報管理装置であることを特徴とする。
【発明の効果】
【００１３】
コンピュータ読み取り可能なプログラムによって実行され、商品およびサービス取引の購買額や購買回数等に応じて顧客に付与し利用されるサービスポイントを管理するシステムであって、複数のアライアンス企業間で流通するサービスポイントを統括的に管理する管理サーバーと、各アライアンス企業に設置され前記管理サーバーと通信回線を介して情報の伝達を行う手段を備えたアライアンス企業端末とを備え、前記管理サーバーまたは前記アライアンス企業端末にはサービスポイントに対する還元額を算出するための還元率テーブルが搭載され、該還元率テーブルにおける還元率を所望するアライアンス企業および/または顧客会員に応じて変動させる手段によりサービスポイントに対する還元額をアライアンス企業ごとに変動させて設定可能としたことにより、アライアンス企業ごとにサービスポイントに対する還元額を変動させ設定することができるので必要に応じてアライアンス企業ごとまたは店舗ごとにサービスポイントの還元率を変えることができる。例えば、アライアンス企業は、販売促進月間にある時期や、販売促進重点企業および店舗の還元率を高く変動させて設定することにより顧客会員を当該アライアンス企業または当該店舗に誘導して販売の促進を図ることができる。また顧客会員はあるアライアンス企業で付与されたサービスポイントを、還元率の高い他のアライアンス企業で利用してサービスポイントに付加価値をつけて利用することができる。
【００１４】
また、顧客会員の属性ごとにサービスポイントに対する還元額を変動させ設定することができるので必要に応じてアライアンス企業ごとまたは店舗ごとにサービスポイントの還元率を変えることができる。例えば、アライアンス企業や管理センターは、性別、年齢、購買履歴、累積サービスポイント等の顧客会員属性に基づいてターゲットとする顧客会員の還元率のみを高めて当該顧会員の購買を促進することができる。また、顧客会員は、また顧客会員はあるアライアンス企業で付与されたサービスポイントを、還元率の高い時期に利用してサービスポイントに付加価値をつけて利用することができる。さらに管理センターは、サービスポイントを顧客会員が利用する頻度が高まる結果として、サービスポイントの流通性を高めることができ、サービスポイントの価値を高めることができる。
【００１５】
還元率テーブルにおける還元率をアライアンス企業および/または顧客会員に応じて変動させる手段は、所望のアライアンス企業または顧客会員を抽出する抽出手段と、該抽出手段により抽出されたアライアンス企業または顧客会員の還元率テーブルにおいて還元率を変動させる変動手段とからなることにより、所望のアライアンス企業または顧客会員に対する還元率の変動を容易に行うことができる。
【００１６】
アライアンス企業または顧客会員を抽出する抽出手段は、データベースに蓄積されてなるアライアンス企業情報および顧客会員情報から条件設定により絞り込み抽出される手段であることにより、所望のグループに属するアライアンス企業または顧客会員に対する還元率の変動を容易に行うことができる。
【００１７】
顧客会員が利用を告知したサービスポイントに対して該当する還元率テーブルの還元率を乗算して還元額を算出する手段を有するとともに、告知したサービスポイントを顧客会員の累積サービスポイントから差し引く手段を有することにより、変動した還元率を用いて顧客会員が利用を所望するサービスポイントの値に対する還元額の算出とその還元を容易かつ迅速に行うことができる。
【００１８】
顧客会員が還元を告知した利用額に対して該当する還元率テーブルの還元率を乗算して利用されるサービスポイントを算出する手段を有するとともに、算出されたサービスポイントを累積サービスポイントから差し引く手段を有することにより、変動した還元率を用いて顧客会員が利用を所望する還元額の値に対するサービスポイントの算出とその還元を容易かつ迅速に行うことができる。
【００１９】
算出手段により算出されたサービスポイントまたは還元額に対し、還元率を変動させたことによるサービスポイントと還元額の差額分をアライアンス企業に課金する課金手段を有することにより、アライアンス企業はある額を負担することで、還元率を変動させて集客を図ることができる。また、ポイント管理センターは還元率の変動により収入を得るようにしてもよい。
【００２０】
算出手段により算出されたサービスポイントまたは還元額に対し、アライアンス企業ごとに設定された負担率を乗算してアライアンス企業の負担額を算出する演算手段を有し、算出された差額分をアライアンス企業に課金する課金手段を有することにより、ポイント管理センターは、ある額を負担することで、還元率を変動させてアライアンス企業の加入を図ることができる。また、アライアンス企業は、例えば少ない負担額でも還元率を変動させることができ集客を図ることも期待できる。
【００２１】
アライアンス企業端末は、顧客会員情報および購買品名、価格、数量、日時などの販売実績情報を収集し管理サーバーに伝達する販売時点情報管理装置であることにより、店頭で入力した各種情報がすぐに管理サーバーに照会され迅速に、アライアンス企業および顧客会員に適した還元率の変動を行うことができる。
【発明を実施するための最良の形態】
【００２２】
図１は本発明に係るサービスポイント還元システム概略図、図２乃至図５は本発明に係るサービスポイント還元システムのフローチャート、図６は本発明に係るサービスポイント還元システムにおいて用いられる会員管理データベースに蓄積される情報の例である。
【００２３】
本発明に係る、サービスポイント還元システムの構成は、図１に示すように、ポイント管理センターが運営する管理サーバー１と、複数のアライアンス企業に設置され前記管理サーバーと通信回線を介して顧客会員情報の照会や各種情報を伝達するアライアンス企業端末２とからなる。
【００２４】
管理サーバー１には、演算手段が格納され、演算手段を動かす要素となる各種データベースが格納されている。データベースにはポイント管理データベース、会員管理データベース、精算管理データベース等が蓄積されるとともに、必要に応じてアライアンス企業端末から上がってくる情報を分析する分析システムが搭載され、随時データベースが書き換えられている。データベースに蓄積された情報の中から特定のアライアンス企業、特定の顧客会員についての還元率変動の指示操作をすると、演算手段が各種演算を行い、後述の還元率テーブルにおいて、所望のアライアンス企業または顧客会員に対する還元率を変動し、変動し設定された還元率に基づいてサービスポイントの還元とその精算をするようになっている。
【００２５】
アライアンス企業端末２は、一般に販売時点情報管理装置（ＰＯＳ）と呼ばれる装置で 、顧客会員が提示する会員カードに付された磁気ストライプ読み取り機能や非接触ＩＣチップの読み取り機能等の顧客会員の認証を可能とする機能の付いた装置であることがのぞましく、顧客会員の情報を管理サーバーに参照するとともに、各種情報を管理サーバーと伝達可能になっている。管理サーバーへの通信回線はインターネット網で あってもよいし、専用線によるサーバー間伝送回線を敷設してもよく、例えばＨＵＬＦＴやＴＣＰ/ＩＰ等の伝送方式を利用する。また、伝送機能には例えばセキュリティ確保用装置、ネットワーク中継機器を介在させてもよい。アライアンス企業端末２は通常店舗において設置されたものであるが、いわゆるインターネットにおける販売においても、Ｗｅｂページを通して顧客の会員の認証を行い同様の機能を提供するものとする。
【００２６】
そして、管理サーバー、アライアンス企業端末のいずれかまたは両方には、サービスポイント還元率を変動させるための還元率テーブルが搭載されている。この還元率テーブルは、直接の抽出手段または条件設定により絞り込まれる抽出手段のいずれかにより特定されたアライアンス企業または顧客会員のサービスポイントの還元率を演算装置により変動させて設定するためのものであり、管理サーバーまたはアライアンス企業端末からの入力により還元率が変動する。
【００２７】
本発明のシステムは、還元率テーブルにおける還元率の変動部と後述する変動された還元率に基づいてサービスポイントを還元する還元部の二つの動作部分から構成されている。まず、変動部における還元率テーブルの還元率の変動動作について説明する。還元率テーブルにおける還元率は、アライアンス企業からの申込み操作やポイント管理センター独自の操作等の入力に基づいて変動される。上記操作により、還元率を変動させたいアライアンス企業、または、顧客会員の属性がアライアンスマスタ、または、会員マスタから直接の抽出手段、または条件設定により絞り込まれる抽出手段により抽出され、抽出されたアライアンス企業または顧客会員群の還元率テーブルにおける還元率が、入力した所望の還元率に変動される。例えば、直接の抽出手段によりアライアンス企業を特定する場合は、所望のアライアンス企業を選択して１ポイントを２倍にして還元する指示を入力すると、抽出手段により選択したアライアンス企業の還元テーブルが抽出されるとともに、この還元率テーブルにおけるアライアンス企業の顧客に対する還元率は１ポイント×２に変動し設定される。例えば、販売促進月間を予定しているアライアンス企業が管理サーバーへ操作入力をして自社の還元率の変動を行うことができる。
【００２８】
また、条件設定により絞り込まれる抽出手段による場合は、例えば図６に示す会員顧客属性カテゴリから所望の属性を選択して１ポイント２倍にして還元する指示を入力すると、抽出手段により絞り込み抽出を行い、該当する顧客会員の還元率テーブル群が抽出されるとともに、これらの還元率テーブルにおける顧客会員に対する還元率は１ポイント×２に変動し設定される。例えば、東京都在住の３０代男性に属する顧客会員のみ還元率を２倍にする申込み操作をすると、会員マスタから３０代×男性×東京都在住の条件の顧客会員のみの還元率テーブル群を、例えば各会員の属性ごとに立てられたフラグを基に抽出し、還元率テーブルの還元率を１ポイント×２に変動し設定する。尚、このように、還元率テーブルを変動させる対象者の抽出と、還元率の組合せは種々の条件設定により行うことができ、アライアンス企業と顧客会員を組み合わせた条件設定による抽出も行うことができる。さらには、この還元率の変動は期間を限定することもできる。
【００２９】
次に還元部について説明する。このように変動手段により対象者の還元率テーブルにおいて還元率が変動設定された状態で、アライアンス企業端末から送信されたアライアンス企業端末識別情報と顧客会員情報および顧客が利用を告知したサービスポイントまたは還元額の情報伝達と情報の照会により、該当する還元テーブルを特定し、当該還元テーブルの還元率をサービスポイントに乗算して得られた額の減算をすることにより値引きをし、サービスポイントの還元をする。尚、顧客が利用するサービスポイントを告知した場合は、還元率テーブルを介して利用サービスポイント値×還元率＝還元額を算出し、顧客が利用する還元額を告知した場合は、還元率テーブルを介して利用額×還元率＝利用サービスポイント値を算出するようにしてもよい。
【００３０】
また、還元率の変動により生じるサービスポイントと還元額との差をアライアンス企業に課金しアライアンス企業が支払うための手段を設けてもよい。例えば、還元率テーブルにおいて２倍の設定がなされているときには、通常時１ポイント＝１円であるので１０円の値引きに対して５円の差額がアライアンス企業に課金され、アライアンス企業はこの差額５円をポイント管理センターへ支払う。このようにアライアンス企業に差額を課金する場合において、アライアンス−ポイントセンター間にも負担率テーブルを設けてアライアンス企業が負担するサービスポイントの負担の割合または額を操作することもできる。例えば、顧客にポイントを還元するに際してアライアンス企業の負担額を減額するべく他のアライアンス企業に対しては１ポイント＝１円に設定しているが、アライアンス企業還元率テーブルにおけるアライアンス企業の負担率を１／２にするべく入力すると、従来１ポイントの還元について１円を管理センターに支払っていたアライアンス企業は、１ポイントに対し０．５円を支払うこととなる。
【００３１】
次に、還元率が変動されてなる状態でのサービスポイント還元の具体的な動作例を本願発明のサービスポイント還元システムの利用フローにより説明する。第一の実施の形態の動作は、図２のフローチャートに示される。尚、サービスポイント還元に付随してなされるサービスポイント付与のシステムを同時に搭載してもよく、本実施の形態においては、顧客会員としての会員Ａがアライアンス企業の一つであるアライアンスａにおいて商品を購入してサービスポイントを付与された後、サービスポイント還元率が変動されたアライアンス企業の一つであるアライアンスｂにおいてサービスポイントを利用して商品を購入するまでのフローを示したものである。このフローの特徴はアライアンス企業に応じて還元率を変動させることであり、通常状態から還元率が変動されているアライアンス企業ｂでサービスポイントを利用するまでを説明する。
【００３２】
初期状態において、管理サーバーの会員Ａのポイントマスタには、例えば、累積５ポイントのサービスポイントが溜まっている。ここで、会員Ａはアライアンスａにおいて、１００円の商品を購入する際に会員カードを提示すると、アライアンス企業端末において会員カードに付された磁気ストライプを読み取り、例えば読み取った１６桁の会員ＩＤを管理サーバーへ伝達しポイント管理センターへ会員Ａの情報を照会するとともに、１００円分の商品の購入情報を伝達する（Ｓ１）。
【００３３】
このとき、アライアンスａと会員Ａ間のサービスポイント付与率は１０円あたり１ポイントであるため会員Ａの累積５ポイント＋加算１０ポイント＝１５ポイントが蓄積される。また、アライアンスａとポイント管理センターにサービスポイントと等しい１０円をポイント管理センターに支払うべく課金手段によりアライアンス企業ａには１０円の課金がされる（Ｓ２）。
【００３４】
管理サーバーは、加算後の累積１５ポイントをアライアンス企業端末に伝達し、アライアンス企業端末は累積１５ポイントをＰＯＳに表示またはレシート印刷することにより顧客会員に知らせる（Ｓ３）。ここまでがサービスポイント付与に関するフローの例である。尚、サービスポイント付与のシステムはこれに限られるものではない。
【００３５】
続いて会員Ａは、還元率テーブルにおける還元率が２倍に変動させる操作をしたアライアンスｂで、１００円の商品を購入する際に会員カードを提示すると、アライアンス企業端末は、会員カードに付された磁気ストライプを読み取り、例えば読み取った１６桁の会員ＩＤを伝達手段により管理サーバーへ伝達しポイント管理センターへ会員Ａの情報を照会するとともに、１００円分の商品購入情報が伝達する（Ｓ４）。
【００３６】
会員Ａの情報を照会された管理サーバーは、演算手段により照会情報のＩＤより会員Ａの会員マスタより会員Ａの累積ポイントマスタを抽出し、伝達手段により累積１５ポイントであるという情報をアライアンス企業端末へ伝達すると、アライアンスｂのアライアンス企業端末には、累積１５ポイントの表示がされ会員Ａは１５ポイント保有していることを確認する（Ｓ５）。
【００３７】
会員Ａがこの累積１５ポイントのうち、５ポイントを利用することをアライアンスｂのの店員に告知すると、アライアンス企業ｂの店員は、アライアンス企業端末より、５ポイントの利用情報を入力手段により入力し、管理サーバーへこの情報が伝達手段により情報送信される、管理サーバーにおいて、会員Ａの蓄積ポイント１５ポイント−５ポイント＝１０ポイントのように累積ポイントの減算が行われる（Ｓ６）。
【００３８】
また、管理サーバーは、アライアンス企業端末より伝達された５ポイントの利用情報と、アライアンス企業端末ｂの端末識別情報からアライアンス企業ｂの還元率テーブルを選択する。アライアンスｂの還元率テーブルにおける還元率は、あらかじめの申込み操作により２倍に変動設定されているので、還元率テーブルを介して５ポイント×２＝１０円の演算がされて、アライアンス企業端末ｂに対して還元額１０円の情報が伝達される。よって、会員Ａの支払い額は９０円となる（Ｓ７）。
【００３９】
さらに、通常状態において１ポイントは１円の等価であるため、管理サーバーは、還元額１０円−５円＝５円の演算を行い、差額５円分をアライアンス企業ｂに課金し、アライアンス企業ｂより５円の支払いがされるシステムを構築してもよい（Ｓ８）。このようにして、顧客会員である会員Ａは、アライアンスａで付与されたサービスポイントを還元率が変動されてなるアライアンスｂで利用することで顧客会員は保有するサービスポイントの価値以上の還元を受けることができるとともに、アライアンス企業であるアライアンス企業ｂは一定の負担をすることで販売促進したい期間や店舗に顧客会員を誘導することができる。
【００４０】
本願発明の第二の実施の形態の動作を、図３のフローチャートにより説明する。このフローチャートは、顧客会員としての会員Ａがアライアンス企業の一つであるアライアンスａにおいて商品を購入してサービスポイントを付与され、次にアライアンス企業の一つであるアライアンスｂにおいてサービスポイントを利用して商品を購入するまでのフローを示したものであるが、サービスポイント付与のフローは第一の実施の形態の動作と同様であるので省略する。このフローの特徴は顧客会員の属性等会員マスタ情報に応じて還元率を変動した顧客会員の還元率テーブルにより還元額の演算を行うことである。尚、このフローを上述した第一の実施の形態の動作に組合せて、アライアンス企業の還元率テーブルと、顧客会員の還元率テーブルのうち還元率の高いテーブルを選択する手段を構築してもよい。
【００４１】
会員Ａの情報を照会された管理サーバーは、演算手段により照会情報のＩＤより会員Ａの会員マスタより会員Ａの累積ポイントマスタを抽出し、伝達手段により累積１５ポイントであるという情報をアライアンス企業端末へ伝達すると、アライアンスｂのアライアンス企業端末には、累積１５ポイントの表示がされ会員Ａは１５ポイント保有していることを確認する（Ｓ５）。
【００４２】
会員Ａはこの累積１５ポイントのうち、５ポイントを利用することをアライアンスｂのの店員に告知しアライアンス企業ｂの店員は、アライアンス企業端末より、５ポイントの利用情報を入力手段により入力し管理サーバーへ伝達手段により情報送信すると、会員Ａの蓄積ポイントは１５ポイント−５ポイント＝１０ポイントの演算がされる累積ポイントの減算が行われる（Ｓ６）。
【００４３】
また、管理サーバーは、アライアンス企業端末より伝達された会員Ａの識別情報と５ポイントの利用情報から会員Ａの還元率テーブルを選択する。会員Ａの属性は所望の条件に合致し、会員Ａの還元率テーブルはあらかじめ絞り込み抽出により抽出された還元率テーブル群に属し、還元率２倍に変動設定されているので、還元率テーブルを介して５ポイント×２＝１０円の演算がされて、アライアンス企業端末ｂに還元額１０円の情報の伝達が伝達手段により情報送信される。よって、会員Ａの支払い額は９０円となる（Ｓ７）。
【００４４】
さらに、通常状態において１ポイントは１円の等価であるため、管理サーバーは、還元額１０円−５円＝５円の演算を行い、差額５円分をアライアンス企業ｂに課金し、アライアンス企業ｂより５円の支払いがされるシステムを構築してもよい（Ｓ８）。このようにして、会員Ａは、アライアンスａで付与されたサービスポイント、他のアライアンス企業であるアライアンスbで利用することができ、アライアンス企業ｂは一定の負担をすることで誘導したい属性に適合する会員Ａを誘導することができる。
【００４５】
本願発明の第三の実施の形態の動作を、図４のフローチャートにより説明する。このフローチャートは、顧客会員としての会員Ａがアライアンス企業の一つであるアライアンスａにおいて商品を購入してサービスポイントを付与され、次にアライアンス企業の一つであるアライアンスｂにおいてサービスポイントを利用して商品を購入するまでのフローを示したものであるが、このフローの特徴は顧客会員に利用還元額を知らせ、顧客会員は利用可能還元額を知った上で、利用還元額を告知する点が第一の実施の形態と異なる。尚、サービスポイント付与のフローは省略する。
【００４６】
会員Ａの情報を照会された管理サーバーは、演算手段により照会情報のＩＤより会員Ａの会員マスタより会員Ａの累積ポイントマスタを抽出するとともに、アライアンス企業端末ｂの端末識別情報からアライアンス企業ｂの還元率テーブルを選択する。アライアンスｂの還元率テーブルにおける還元率は、あらかじめの申込み操作により２倍に変動設定されているので、会員Ａの累積ポイント１５ポイント×２＝３０円の演算がされて伝達手段により還元可能額が３０円であるという情報をアライアンス企業端末へ伝達すると、アライアンスｂのアライアンス企業端末には、還元可能額３０円の表示がされ会員Ａは還元可能な上限の額が３０円であることを確認する（Ｓ５）。
【００４７】
会員Ａはこの３０円のうち、１０円分を利用することをアライアンスｂの店員に告知しアライアンス企業ｂの店員は、アライアンス企業端末より、１０円の利用情報を入力手段により入力し管理サーバーへ伝達手段により情報送信すると、還元率テーブルを介して１０円×１／２＝５ポイントの演算がされ、管理サーバーにおいて会員Ａの蓄積ポイントは１５ポイント−５ポイント＝１０ポイントの演算がされる累積ポイントの減算が行われる（Ｓ６）。
【００４８】
また、アライアンス企業端末においては告知された還元額をそのまま値引きするか、または、還元率テーブルで再度５ポイント×２＝１０円の演算がされて、会員Ａの支払い額は９０円となる（Ｓ７）。
【００４９】
さらに、通常状態において１ポイントは１円の等価であるため、、管理サーバーは、還元額１０円−５円＝５円の演算を行い、差額５円分をアライアンス企業ｂに課金し、アライアンス企業ｂより５円の支払いがされるシステムを構築してもよい（Ｓ８）。このようにして、会員Ａは、アライアンスａで付与されたサービスポイント、他のアライアンス企業であるアライアンスbで利用することができ、アライアンス企業ｂは一定の負担をすることで誘導したい属性に適合する会員Ａを誘導することができる。
【００５０】
本願発明の第四の実施の形態の動作を、図５のフローチャートにより説明する。このフローチャートは、顧客会員としての会員Ａがアライアンス企業の一つであるアライアンスａにおいて商品を購入してサービスポイントを付与され、次にアライアンス企業の一つであるアライアンスｃにおいてサービスポイントを利用して商品を購入するまでのフローを示したものであるが、アライアンス企業とポイント管理センター間に負担率テーブルを設け、サービスポイントに対するアライアンス企業の負担額をも変動可能とした点が第三の実施の形態と異なる。サービスポイント付与のフローは省略する。
【００５１】
会員Ａの情報を照会された管理サーバーは、演算手段により照会情報のＩＤより会員Ａの会員マスタより会員Ａの累積ポイントマスタを抽出するとともに、アライアンス企業端末ｂの端末識別情報からアライアンス企業ｂの還元率テーブルを選択する。アライアンスｂの還元率テーブルにおける還元率は、あらかじめの申込み操作により２倍に変動設定されているので、会員Ａの累積ポイント１５ポイント×２＝３０円の演算がされて伝達手段により還元可能額が３０円であるという情報をアライアンス企業端末へ伝達すると、アライアンスｂのアライアンス企業端末には、還元可能額３０円の表示がされ会員Ａは還元可能な上限の額が３０円であることを確認する（Ｓ５）。
【００５２】
会員Ａはこの３０円のうち、１０円分を利用することをアライアンスｂの店員に告知しアライアンス企業ｂの店員は、アライアンス企業端末より、１０円の利用情報を入力手段により入力し管理サーバーへ伝達手段により情報送信すると、還元率テーブルで１０円×１／２＝５ポイントの演算がされ、会員Ａの蓄積ポイントは１５ポイント−５ポイント＝１０ポイントの演算がされる累積ポイントの減算が行われる（Ｓ６）。
【００５３】
また、アライアンス企業端末においては告知された還元額をそのまま値引きするか、または、還元率テーブルで再度５ポイント×２＝１０円の演算がされて、会員Ａの支払い額は９０円となる（Ｓ７）。
【００５４】
さらに、アライアンス企業ｃには負担率テーブルが設けられており、ポイント管理センターの入力操作によりアライアンス企業ｃの負担率を変動させる。例えば、負担率は１／２として設定し、１／２（還元額１０円−５円）＝差額２．５円の演算を行い、差額２．５円分をアライアンス企業ｃに課金し、アライアンス企業ｃより２．５円の支払いがされるシステムを構築してもよい（Ｓ８）。
【００５５】
このように、還元率テーブルを変動させ、顧客会員が還元率の異なるアライアンス企業でサービスポイントを利用することができるようにして、サービスポイントの流通と会員顧客の誘導を図ることができる。
【００５６】
尚、システムフローは上述に限られるものではなく動作の順番が異なってもよい。また、フローにおいて便宜的に還元額、ポイント値、還元率、負担率、付与率を設定したが、各値はこれに限られるものではない。
【図面の簡単な説明】
【００５７】
【図１】本発明の実施の形態をサービスポイント還元システムの概念図。
【図２】本発明の第一の実施の形態を示すフローチャート。
【図３】本発明の第二の実施の形態を示すフローチャート。
【図４】本発明の第三の実施の形態を示すフローチャート。
【図５】本発明の第四の実施の形態を示すフローチャート。
【図６】本発明のシステムで用いられる会員マスタに蓄積される情報の一覧図。
【符号の説明】
【００５８】
１  管理サーバー
２  アライアンス企業端末
【図１】
2010146122.tif 000003
【図２】
2010146122.tif 000004
【図３】
2010146122.tif 000005
【図４】
2010146122.tif 000006
【図５】
2010146122.tif 000007
【図６】
2010146122.tif 000008